(57)【要約】【課題】新郎新婦がどのような思いや感情を込めて引出物を選択したかを出席者に伝えることが可能であると新郎新婦に理解させることができる引出物カタログを提供する。【解決手段】結婚式・披露宴の出席者に贈答する引出物が多数掲載された引出物カタログにおいて、新郎新婦が引出物に込めた思い、引出物の特徴、機能及び使用方法のうち少なくとも一つをキャラクターによる漫画表現で記載した漫画冊子を引出物に同梱するにあたり、当該漫画冊子の原寸大の現物見本が引出物カタログに挿入されている。【選択図】図２
0003172368.tif 000002
【実用新案登録請求の範囲】
【請求項１】
結婚式・披露宴の出席者に贈答する引出物が多数掲載された引出物カタログにおいて、
新郎新婦が引出物に込めた思い、引出物の特徴、機能及び使用方法のうち少なくとも一つをキャラクターによる漫画表現で記載した漫画冊子を引出物に同梱するにあたり、当該漫画冊子の原寸大の現物見本が挿入されていることを特徴とする引出物カタログ。
【請求項２】
前記漫画冊子に記載される漫画内容が、各引出物の掲載ページに当該引出物の写真と共に印刷されていることを特徴とする請求項１に記載の引出物カタログ。
【請求項３】
前記漫画冊子の見本に、当該引出物カタログの特徴も記載されていることを特徴とする請求項１又は２に記載の引出物カタログ。
【考案の詳細な説明】
【技術分野】
【０００１】
本考案は、新郎新婦が引出物を選択する際に使用する引出物カタログに関する。
【背景技術】
【０００２】
通常、結婚式・披露宴の引出物は、新郎新婦（贈答者）が予め結婚式・披露宴の出席者（被贈答者）の趣味嗜好、年齢、地域の風習等を考慮して選択し、これを結婚式・披露宴の当日に出席者に贈答する。
近年では、多数の商品の写真、機能、使用方法及び価格等が掲載されたカタログ（本明細書では「引出物カタログ」という）が刊行されており、新郎新婦は引出物カタログの中から所望の商品を引出物として選択・購入するケースが増えている。
【０００３】
また、引出物としてギフト用カタログ（「カタログギフト」と呼ばれることもある）を贈答するケースも増えている。新郎新婦は購入したギフト用カタログを結婚式・披露宴で出席者に贈答し、受け取った出席者は後日ギフト用カタログに掲載されている多数の商品群のなかから欲しい商品を選択し、これを葉書などの所定の方法に従って注文することで、注文した商品が自宅に郵送される仕組みになっている（特許文献１）。
【先行技術文献】
【特許文献】
【０００４】
【特許文献１】実用新案登録第３１６７０７４号公報
【考案の概要】
【考案が解決しようとする課題】
【０００５】
しかし、上記従来の引出物カタログでは以下のような問題がある。
すなわち、結婚式・披露宴の引出物の場合、上述の通り、新郎新婦は出席者の趣味等を十分に考慮し、互いに相談しながら、出席者にできるだけ喜んでもらえるような商品を選択するのが一般的である。つまり、引出物には新郎新婦の思いや感情が詰め込まれているといえる。
【０００６】
しかし、上述したような従来の引出物カタログには商品の写真、機能、使用方法及び価格等、商品に関する情報が掲載されているのが一般的であり、引出物を受け取った出席者に対して、新郎新婦がどのような思いや感情を込めて当該引出物を選択したかが充分に伝わりにくいという問題がある。
また、新郎新婦の思いを文章でカードやしおりに記載し、これを引出物に同梱することも行われているが、カードやしおり自体が小さく、そこに記載されている文章も小さい文字で書かれていることが多いため、ほとんどの出席者は同梱されているカードやしおりに気付かないか、あるいは気付いた場合でも記載内容にほとんど気を留めないことが多いという問題があった。
また、引出物カタログに「新郎新婦の思い等を記載したカードを引出物に同梱します」というような記載がなされている場合でも、具体的にどのような形状・寸法のカードが使用されるのか新郎新婦に分かりづらいという問題もあった。
なお、上記ギフト用カタログによって出席者自らが引出物を選択する方式では当然ながらこのような問題を解消することができない。
【０００７】
本考案は上記問題に鑑み、新郎新婦がどのような思いや感情を込めて引出物を選択したかを出席者に伝えることが可能であると新郎新婦に理解させることができる引出物カタログを提供することを目的とする。
【課題を解決するための手段】
【０００８】
本考案は、結婚式・披露宴の出席者に贈答する引出物が多数掲載された引出物カタログにおいて、新郎新婦が引出物に込めた思い、引出物の特徴、機能及び使用方法のうち少なくとも一つをキャラクターによる漫画表現で記載した漫画冊子を引出物に同梱するにあたり、当該漫画冊子の原寸大の現物見本が挿入されていることを特徴とする。
【０００９】
また、前記漫画冊子に記載される漫画内容が、各引出物の掲載ページに当該引出物の写真と共に印刷されていることを特徴とする。
また、前記漫画冊子の見本に、当該引出物カタログの特徴も記載されていることを特徴とする。
【考案の効果】
【００１０】
本考案によれば、引出物を選択するべく引出物カタログを閲覧している新郎新婦に対して漫画冊子の原寸大の現物見本を提示できる。したがって、新郎新婦は、引出物に同梱されることになる漫画冊子の漫画内容、形状及び寸法を事前に把握でき、また、漫画冊子を受け取った際の出席者の気持ちを推し量ることができる。そして、当該引出物を選択した新郎新婦自身の思いや感情が漫画冊子に確実に記載されることを理解できる。
このように、本考案の引出物カタログを新郎新婦に見せることで、どのような思いや感情を込めて引出物を選択したかを出席者に確実に伝えることができることを新郎新婦が理解できる。
【００１１】
また、新郎新婦の思い、感情さらには引出物の特徴等がキャラクターによる漫画表現で記載されているので、引出物と共に漫画冊子を受け取った出席者はこれら新郎新婦の思い等を確実に理解することができる。
【００１２】
また、漫画冊子に記載される漫画内容を、引出物カタログの各引出物の掲載ページにも印刷することで、出席者毎に異なる種類の引出物を贈答する場合でも、各引出物に同梱される漫画冊子の漫画内容を新郎新婦が事前に把握できる。
また、漫画冊子の見本に引出物カタログの特徴、すなわち、新郎新婦の思い等をキャラクターによる漫画表現等で記載した漫画冊子を作成し、これを引出物に同梱することで、新郎新婦の思い等を出席者に確実に伝えることができるという特徴も記載しておけば、新郎新婦が初めて引出物カタログを見た場合でも、本考案の引出物カタログの仕組み及び制作意図を容易に理解できる。
【図面の簡単な説明】
【００１３】
【図１】新郎新婦が選択・購入した引出物及び漫画冊子が出席者に贈答されるまでの流れを示す図
【図２】引出物カタログ及び漫画冊子の見本を示す図
【図３】漫画冊子に記載される漫画内容を引出物カタログの各引出物の掲載ページに印刷した状態を示す図
【考案を実施するための形態】
【００１４】
本考案の引出物カタログについて図１〜図３を用いて説明する。
引出物カタログ１０には、結婚式・披露宴の出席者２０に贈答する引出物３０が多数、例えば１ページあたり１商品、全体で数十商品程度が掲載されている。
【００１５】
漫画冊子４０は結婚式・披露宴の当日に引出物３０に同梱されて出席者２０に手渡されるものであり、新郎新婦５０が引出物３０に込めた思い、引出物３０の特徴、機能及び使用方法がキャラクターによる漫画表現で記載されている。漫画冊子４０の漫画内容は商品毎に異なるものとする。
引出物３０としては、例えば若い出席者２０にはインテリア関連商品、家族世帯にはキッチン用品やタオルなどの生活用品、高齢者には食器や菓子などが挙げられる。
【００１６】
引出物３０は出席者２０の家族構成や年齢等を考慮して、新郎新婦５０が複数種類の商品を選択する場合もあるし、あるいは全出席者２０に対して同じ商品を選択する場合もある。
いずれにせよ、新郎新婦５０は出席者２０の趣味嗜好、年齢、地域の風習等を総合的に考慮した上で、最適と考える商品を引出物３０として選択する。すなわち、新郎新婦５０が当該商品を選択した理由、すなわち思いや感情等が商品毎に存在しており、その思いや感情等が、引出物３０の特徴、機能及び使用方法等と共に漫画冊子４０に記載される。
具体的には、例えば新郎新婦５０を模した男女のキャラクターの会話形式による漫画表現でこれら新郎新婦５０の思い等が漫画冊子４０に記載され、引出物３０と共に出席者２０に贈答されることになる。
【００１７】
なお、必ずしも実際に新郎新婦５０が抱いた思いや感情を漫画冊子４０に記載する必要はなく、当該商品を選択した新郎新婦５０であれば通常抱くであろうと想定される思いや感情が予め漫画冊子４０に記載されていることにしてもよい。
また、上記「漫画表現」とは、１人あるいは複数のキャラクター相互が吹き出し等を用いて会話することで、読み手に各種情報や作者の意志・意図を視覚を通して伝える情報伝達形式をいい、例えば１コマ漫画や、あるいは２つ以上にコマ割りした漫画やアニメーションが含まれる。また、上記１人あるいは複数のキャラクターを例えばマネキンやぬいぐるみなどの実在する人形を用いて表し、この人形に適当な動作をさせて撮影した写真を用いた情報伝達形式も「漫画表現」に含まれるものとする。
【００１８】
そして、図２に示すように、本考案の引出物カタログ１０では、このような漫画冊子の原寸大の現物見本４１が第１ページ目１１と第２ページ目１２の間に挿入されている。
図２（ａ）は例えば１０センチ四方程度の比較的大きな４枚の紙片を２枚一組として折り畳んで左右に配置した漫画冊子の原寸大の現物見本を示しており、図２（ｂ）はこれを展開した状態を示している。なお、図２（ｃ）に示すように４枚の紙片を連続的に繋げた蛇腹状にしてもよい。
見本４１を見た新郎新婦５０は、引出物３０に同梱されることになる漫画冊子４０の内容を事前に把握し、漫画冊子４０を受け取った際の出席者２０の気持ちを推し量りながら商品を選択し、更に引出物３０を選択した新郎新婦５０自身の思いや感情が漫画冊子４０に確実に反映されることを理解する。
また、原寸大の現物見本４１を、表紙を捲った第１ページ目１１と第２ページ目１２の間に挿入することで、新郎新婦５０が確実に目を留めるという効果がある。
【００１９】
なお、漫画冊子の見本４１に引出物カタログ１０の特徴も記載することにしてもよい。こうすることで、新郎新婦５０が初めて引出物カタログ１０を見た場合でも、その特徴を容易に理解できる。
図３に示すように、引出物カタログ１０の第３ページ目以降の各商品の掲載ページには、商品の写真３１と共に漫画冊子４０に記載されることになる漫画内容４２がそれぞれ印刷されている。印刷される漫画内容の寸法は上記原寸大の現物見本４１よりも小さくなる。
したがって、出席者２０毎に異なる種類の引出物３０を贈呈する場合でも、各引出物３０に同梱される漫画冊子４０の漫画内容４２を新郎新婦５０は事前に理解できる。
【００２０】
次に、本考案の引出物カタログ１０を用いたビジネスモデルの一例を説明する。
まず、図１に示すように、新郎新婦５０は引出物カタログ１０、漫画冊子の見本４１、各商品の写真３１及び漫画内容４２を閲覧した上で、最適な引出物３０を選択・購入し、ホテル・結婚式場等６０に必要個数等の情報と共に引出物３０を発注する（図中の（１））。
ホテル・結婚式場等６０は引出物カタログ製造・販売業者７０に引出物３０を発注し（図中の（２））、引出物カタログ製造・販売業者７０は引出物製造メーカー８０に発注する（図中の（３））。
引出物製造メーカー８０が製造した引出物３０は、引出物カタログ製造・販売業者７０に送られ（図中の（４））、漫画冊子４０の同梱作業及び熨斗などの包装作業を経て、結婚式・披露宴の当日までにホテル・結婚式場等６０に届けられる（図中の（５））。
出席者２０は、結婚式・披露宴の終了後、引出物３０及び引出物３０に同梱された漫画冊子４０を受け取り（図中の（６））、漫画冊子４０に記載された漫画内容４２から、新郎新婦５０がどのような思いや感情を込めて引出物３０を選択したか及び引出物３０の特徴等を理解する。
なお、上記ビジネスモデルは本考案の引出物カタログの使用方法の一例にすぎず、当然ながら他のビジネスモデルにも本考案の引出物カタログを使用することができる。
【産業上の利用可能性】
【００２１】
新郎新婦がどのような思いや感情を込めて引出物を選択したかを出席者に伝えることが可能であると新郎新婦に理解させることができる引出物カタログに関するものであり、産業上の利用可能性を有する。
【符号の説明】
【００２２】
１０  引出物カタログ
２０  出席者
３０  引出物
３１  商品の写真
４０  漫画冊子
４１  見本
４２  漫画内容
５０  新郎新婦
６０  ホテル・結婚式場等
７０  カタログ製造・販売業者
８０  引出物製造メーカー
【図１】
0003172368.tif 000003
【図２】
0003172368.tif 000004
【図３】
0003172368.tif 000005